(57)【特許請求の範囲】
【請求項１】
使用済みの医療機器を再使用可能にするリプロセスを行う処理場へ前記医療機器が入庫する毎に記録され、前記医療機器が処理場に入庫したことを表す入庫情報と、前記処理場への入庫直前に前記医療機器を使用したユーザのユーザＩＤとを関連付けて記憶する第１記憶手段と、
前記医療機器から読み取られ、前記医療機器に対して前記ユーザが設定済みのユーザ設定情報の入力を受け付ける受付手段と、
前記ユーザＩＤ毎に、前記ユーザ設定情報と前記受付手段が前記入力を受け付けたことを表す受付情報とを関連付けて記憶する第２記憶手段と、
前記第１記憶手段及び前記第２記憶手段からそれぞれ読み出した、同じユーザＩＤに対応する前記入庫情報と前記受付情報に基づいて、前記ユーザ設定情報の入力作業が実施されたか否かを判定する第１判定処理を実行する判定手段と、
前記判定手段が、前記ユーザ設定情報の入力作業が実施されていないと判定した場合に警告する警告手段とを備えていることを特徴とする医療機器用のユーザ設定情報管理装置。
【請求項２】
前記ユーザ設定情報の入力には、前記ユーザ設定情報の新規入力、入庫時において前記第２記憶手段に既に記憶されている前記ユーザ設定情報の更新入力、及び入庫時において前記第２記憶手段に既に記憶されている前記ユーザ設定情報と入庫した前記医療機器から読み取られる前記ユーザ設定情報とを目視で照合する照合作業が実施されたことを表す照合記録の入力の３つの入力のうち少なくとも１つの入力が含まれることを特徴とする請求項１に記載の医療機器用のユーザ設定情報管理装置。
【請求項３】
前記入庫情報は入庫日時、前記受付情報は受付日時であり、
前記判定手段は、前記第１判定処理において、前記第１記憶手段と第２記憶手段を参照して、同じユーザＩＤに対応する最新の入庫日時と最新の受付日時を読み出し、読み出した前記受付日時と前記入庫日時とを比較して、前記受付日時が前記入庫日時以後である場合に、前記ユーザ設定情報の入力が実施されたと判定することを特徴とする請求項１又は２に記載の医療機器用のユーザ設定情報管理装置。
【請求項４】
前記入庫情報が入力される入庫画面をディスプレイに表示する表示制御手段を備えており、
前記判定手段は、前記入庫画面において前記入庫情報が入力されたときに、前記第１判定処理を実行することを特徴とする請求項１〜３のいずれか１項に記載の情報管理装置。
【請求項５】
前記判定手段は、前記入庫情報が入力された後、前記第１判定処理を所定時間間隔で繰り返し実行することを特徴とする請求項１〜４のいずれか１項に記載の医療機器用のユーザ設定情報管理装置。
【請求項６】
リプロセスが施された処理済みの前記医療機器の機器ＩＤを含み、前記医療機器に対して、出庫先のユーザＩＤに対応する前記ユーザ設定情報の再設定作業が実施されたことを表す再設定情報を記憶する第３記憶手段を備えていることを特徴とする請求項１〜５のいずれか１項に記載の医療機器用のユーザ設定情報管理装置。
【請求項７】
前記判定手段は、前記再設定情報を調べて、前記再設定作業が実施されたか否かを判定する第２判定処理を実行することを特徴とする請求項６記載の医療機器用のユーザ設定情報管理装置。
【請求項８】
出庫日時を含む出庫情報が入力される出庫画面をディスプレイに表示する表示制御手段を備えており、
前記判定手段は、前記出庫画面において前記出庫情報の入力が行われる際に、前記第２判定処理を実行することを特徴とする請求項７記載の医療機器用のユーザ設定情報管理装置。
【請求項９】
出庫される医療機器の機器ＩＤ及び出庫先のユーザＩＤを指定する、出庫指示の通知を受信する受信手段を備えており、
出庫指示の通知を受信した後、前記第２判定処理を所定時間間隔で繰り返し実行することを特徴とする請求項７又は８記載の医療機器用のユーザ設定情報管理装置。
【請求項１０】
前記判定手段は、第２記憶手段内のユーザ設定情報の検索が行われたときに、前記第１判定処理を実行することを特徴とする請求項１〜９のいずれか１項に記載の医療機器用のユーザ設定情報管理装置。
【請求項１１】
前記医療機器は、異なる複数の出庫先に貸し出されるレンタル医療機器を含むことを特徴とする請求項１〜１０のいずれか１項に記載の医療機器用のユーザ設定情報管理装置。
【請求項１２】
使用済みの医療機器を再使用可能にするリプロセスを行う処理場へ前記医療機器が入庫する毎に記録され、前記医療機器が処理場に入庫したことを表す入庫情報と、前記処理場への入庫直前に前記医療機器を使用したユーザのユーザＩＤとを関連付けて第１記憶手段に記憶する第１記憶ステップと、
前記医療機器から読み取られ、前記医療機器に対して前記ユーザが設定済みのユーザ設定情報の入力を受付手段が受け付ける受付ステップと、
前記ユーザＩＤ毎に、前記ユーザ設定情報と前記受付ステップにおいて前記入力が受け付けられたことを表す受付情報とを関連付けて第２記憶手段に記憶する第２記憶ステップと、
前記第１記憶手段及び前記第２記憶手段からそれぞれ読み出した、同じユーザＩＤに対応する前記入庫情報と前記受付情報に基づいて、前記ユーザ設定情報の入力作業が実施されたか否かを判定手段が判定する第１判定処理を実行する判定ステップと、
前記判定ステップにおいて、前記ユーザ設定情報の入力作業が実施されていないと判定された場合に警告手段が警告する警告ステップとを、コンピュータに実行させることを特徴とする医療機器用のユーザ設定情報管理方法。
【発明の詳細な説明】
【技術分野】
【０００１】
本発明は、医療機器に設定されるユーザ設定情報を管理するユーザ設定情報管理装置及び方法に関するものである。
【背景技術】
【０００２】
医療分野において、被検体内に挿入される挿入部の先端に撮像素子を配設し被検体内の画像を撮像する内視鏡が知られている。使用済みの内視鏡は、洗浄及び消毒が施されて繰り返し使用される。特許文献１及び２には、内視鏡などの医療機器を貸し出すレンタルサービス及びそのサービスを提供するためのレンタル支援システムが提案されている。内視鏡のレンタルサービスは、レンタル業者が医療施設からのオーダに基づいて、内視鏡を貸し出すサービスであり、レンタル支援システムは、貸し出しのオーダのオンラインによる受け付け、受け付けたオーダや在庫の管理を、コンピュータシステムを利用して実現するものである。
【０００３】
貸し出し先から回収された使用済みの内視鏡は、レンタル業者が運営するリプロセスセンタにおいて、洗浄や消毒、修理、機能チェックなど、内視鏡を再使用可能な状態にするリプロセスが施される。リプロセスが施された処理済みの内視鏡はリプロセスセンタの保管庫で保管される。貸し出しのオーダがあった場合には、リプロセスセンタから出庫されて貸し出し先に配送される。
【０００４】
特許文献２及び特許文献３には、貸し出した内視鏡の使用量を測定して、保守点検の時期を把握する技術が開示されている。レンタルサービスを行うに当たっては、特許文献１〜３に記載されているような、在庫状況、保守点検の時期といった情報を把握して管理する技術が不可欠である。
【先行技術文献】
【特許文献】
【０００５】
【特許文献１】特開２００４−３６２１６４号公報
【特許文献２】特開２００２−３０４５８４号公報
【特許文献３】特開２００１−０４６３２６号公報
【発明の概要】
【発明が解決しようとする課題】
【０００６】
ところで、内視鏡には、ユーザが使いやすいようにユーザの好みに応じて種々の設定が行えるカスタマイズ機能が設けられているものがある。カスタマイズ機能には、体腔内に挿入される挿入部の柔軟性（硬度）を調節する硬度調節機能や、操作ボタンに割り当てる機能を変更する変更機能などがある。硬度調節は、例えば、特開平１０−１７９５０９号公報に記載されているように、内視鏡に設けられる調節つまみの操作によって行われる。操作ボタンの機能の割り当ては、内視鏡が接続されたプロセッサ装置の設定画面から設定操作が行われて、内視鏡に設けられたＥＥＰＲＯＭやＩＣタグなどの内蔵メモリに設定情報が記憶される。
【０００７】
レンタル用の内視鏡は、同じユーザに対して毎回同じシリアル番号（機器ＩＤ）の内視鏡が貸し出されるとは限らないため、調節つまみの設定位置や内蔵メモリ内の設定情報などのユーザ設定情報は、レンタル内視鏡のリプロセスの過程でリセットされる。また、同じユーザに対して同じ機器ＩＤの内視鏡を貸し出す場合には、ユーザ設定情報のリセットは必ずしも必要ではないが、リプロセスの過程において調節つまみの設定位置がずれてしまったり、内蔵メモリ内の設定情報が消去されてしまうこともある。そのため、ユーザは、レンタルした内視鏡に対して毎回ユーザ設定を行う必要が生じるが、医療現場においては急患の対応など緊急性が要求される場面が多く、また、医療従事者は繁忙を極めているため、ユーザ設定の時間を確保しにくい。
【０００８】
そこで、内視鏡のレンタルサービスの事業化に当たっては、リプロセスセンタにおいてユーザ毎にユーザ設定情報を管理して、出庫の際に貸し出し先に応じたユーザ設定情報を再設定して、内視鏡を貸し出すことが検討されている。
【０００９】
ユーザ設定情報の管理方法としては、例えば、ユーザに予めユーザ設定情報を申告してもらい、申告を受けた情報を情報管理端末に登録する方法が考えられる。出庫の際には、情報管理端末から登録された情報が読み出されて内視鏡に再設定される。
【００１０】
しかし、同じユーザであっても時期によってユーザ設定情報の内容が変化する場合も多い。せっかくユーザ設定情報を再設定しても古い内容では意味がないので、登録されるユーザ設定情報には最新の内容が反映されていることが求められる。この対策として、ユーザ設定情報の内容が変更された場合には、その旨を随時ユーザに申告してもらう方法が考えられるが、繁忙を極める医療現場のユーザにそうした申告を要求しても、失念等による申告漏れが多いことが予想され、実効性のある対策にならない。
【００１１】
上記従来文献には、こうしたユーザ設定情報を管理する対策については明示も示唆もなく、何ら考慮されていない。そのため、リプロセス後の出庫の際に最新のユーザ設定情報を再設定するために有効な、ユーザ設定情報を管理する方策が模索されていた。
【００１２】
本発明は、こうした背景に鑑みてなされたもので、リプロセスが行われて再使用される医療機器に対して、リプロセス後に最新のユーザ設定情報を再設定するために有効な、医療機器用のユーザ設定情報管理装置及び方法を提供することを目的とする。
【課題を解決するための手段】
【００１３】
上記目的を達成するために、本発明のユーザ設定情報管理装置は、使用済みの医療機器を再使用可能にするリプロセスを行う処理場へ前記医療機器が入庫する毎に記録され、前記医療機器が処理場に入庫したことを表す入庫情報と、前記処理場への入庫直前に前記医療機器を使用したユーザのユーザＩＤとを関連付けて記憶する第１記憶手段と、前記医療機器から読み取られ、前記医療機器に対して前記ユーザが設定済みのユーザ設定情報の入力を受け付ける受付手段と、前記ユーザＩＤ毎に、前記ユーザ設定情報と前記受付手段が前記入力を受け付けたことを表す受付情報とを関連付けて記憶する第２記憶手段と、前記第１記憶手段及び前記第２記憶手段からそれぞれ読み出した、同じユーザＩＤに対応する前記入庫情報と前記受付情報に基づいて、前記ユーザ設定情報の入力作業が実施されたか否かを判定する第１判定処理を実行する判定手段と、前記判定手段が、前記ユーザ設定情報の入力作業が実施されていないと判定した場合に警告する警告手段とを備えていることを特徴とする。
【００１４】
ここで、「リプロセス」には、医療機器の洗浄、消毒、滅菌、修理（分解、部品交換を伴うものを含む）、及び電気的あるいは機械的な機能チェックの少なくとも１つが含まれる。「警告」は、画面にメッセージを表示したり、ランプを点灯させるなど視覚的なメッセージによるものの他、音声信号による音声メッセージによるもの、振動など触覚を刺激するメッセージによるものを含む。「入庫情報」及び「受付情報」は、入庫日時、受付日時の他、入庫済みか否か、受付済みか否かといった二値の情報を含む。「処理場」は、医療機器のレンタルサービスやリプロセス代行サービスのサービス業者が運営するリプロセスセンタの他、医療施設が保有する洗浄室を含む。
【００１５】
前記ユーザ設定情報の入力には、前記ユーザ設定情報の新規入力、入庫時において前記第２記憶手段に既に記憶されている前記ユーザ設定情報の更新入力、及び入庫時において前記第２記憶手段に既に記憶されている前記ユーザ設定情報と入庫した前記医療機器から読み取られる前記ユーザ設定情報とを目視で照合する照合作業が実施されたことを表す照合記録の入力の３つの入力のうち少なくとも１つの入力が含まれる。
【００１６】
前記入庫情報は入庫日時、前記受付情報は受付日時であり、前記判定手段は、前記第１判定処理において、前記第１記憶手段と第２記憶手段を参照して、同じユーザＩＤに対応する最新の入庫日時と最新の受付日時を読み出し、読み出した前記受付日時と前記入庫日時とを比較して、前記受付日時が前記入庫日時以後である場合に、前記ユーザ設定情報の入力が実施されたと判定することが好ましい。
【００１７】
前記入庫情報が入力される入庫画面をディスプレイに表示する表示制御手段を備えており、前記判定手段は、前記入庫画面において前記入庫情報が入力されたときに、前記第１判定処理を実行することが好ましい。
【００１８】
前記判定手段は、前記入庫情報が入力された後、前記第１判定処理を所定時間間隔で繰り返し実行することが好ましい。
【００１９】
リプロセスが施された処理済みの前記医療機器の機器ＩＤを含み、前記医療機器に対して、出庫先のユーザＩＤに対応する前記ユーザ設定情報の再設定作業が実施されたことを表す再設定情報を記憶する第３記憶手段を備えていることが好ましい。
【００２０】
前記判定手段は、前記再設定情報を調べて、前記再設定作業が実施されたか否かを判定する第２判定処理を実行することが好ましい。
【００２１】
出庫日時を含む出庫情報が入力される出庫画面をディスプレイに表示する表示制御手段を備えており、前記判定手段は、前記出庫画面において前記出庫情報の入力が行われる際に、前記第２判定処理を実行することが好ましい。ここで、「出庫情報の入力が行われる際」には、出庫情報の入力が行われたときの他、出庫画面が起動されたときを含む。
【００２２】
出庫される医療機器の機器ＩＤ及び出庫先のユーザＩＤを指定する、出庫指示の通知を受信する受信手段を備えており、出庫指示の通知を受信した後、前記第２判定処理を所定時間間隔で繰り返し実行することが好ましい。
【００２３】
前記判定手段は、第２記憶手段内のユーザ設定情報の検索が行われたときに、前記第１判定処理を実行することが好ましい。
【００２４】
前記医療機器は、異なる複数の出庫先に貸し出されるレンタル医療機器を含むことが好ましい。
【００２５】
本発明の医療機器用のユーザ設定情報管理方法は、使用済みの医療機器を再使用可能にするリプロセスを行う処理場へ前記医療機器が入庫する毎に記録され、前記医療機器が処理場に入庫したことを表す入庫情報と、前記処理場への入庫直前に前記医療機器を使用したユーザのユーザＩＤとを関連付けて第１記憶手段に記憶する第１記憶ステップと、前記医療機器から読み取られ、前記医療機器に対して前記ユーザが設定済みのユーザ設定情報の入力を受付手段が受け付ける受付ステップと、前記ユーザＩＤ毎に、前記ユーザ設定情報と前記受付ステップにおいて前記入力が受け付けられたことを表す受付情報とを関連付けて第２記憶手段に記憶する第２記憶ステップと、前記第１記憶手段及び前記第２記憶手段からそれぞれ読み出した、同じユーザＩＤに対応する前記入庫情報と前記受付情報に基づいて、前記ユーザ設定情報の入力作業が実施されたか否かを判定手段が判定する第１判定処理を実行する判定ステップと、前記判定ステップにおいて、前記ユーザ設定情報の入力作業が実施されていないと判定された場合に警告手段が警告する警告ステップとを、コンピュータに実行させることを特徴とする医療機器用のユーザ設定情報管理方法。
【発明の効果】
【００２６】
本発明によれば、リプロセスを行う処理場に医療機器が入庫したことを表す入庫情報と、医療機器から読み取られるユーザ設定情報の受付情報に基づいて、医療機器が入庫される毎にユーザ設定情報の入力作業が実施されたか否かを判定し、未実施の場合には警告を行うようにしたから、ユーザ設定情報の入力作業の作業忘れを防止し、リプロセス後に医療機器に再設定されるユーザ設定情報を最新の状態に保つことができる。
【図面の簡単な説明】
【００２７】
【図１】内視鏡のレンタルサービスの概要の説明図である。
【図２】カスタマイズ機能を備えた内視鏡の説明図である。
【図３】リプロセスセンタにおける作業フローの説明図である。
【図４】オーダ管理端末、情報管理端末、ＤＢサーバの概略構成図である。
【図５】情報管理端末の構成図である。
【図６】オーダ管理テーブルの説明図である。
【図７】ユーザ設定管理テーブルの説明図である。
【図８】在庫管理テーブルの説明図である。
【図９】入庫画面の説明図である。
【図１０】入庫情報を入力後の入庫画面の説明図である。
【図１１】ユーザ設定情報入力画面の説明図である。
【図１２】入庫情報の受付手順を示すフローチャートである。
【図１３】第１判定処理のフローチャートである。
【図１４】出庫画面の説明図である。
【図１５】出庫情報を入力後の出庫画面の説明図である。
【図１６】ユーザ設定情報再設定画面の説明図である。
【図１７】出庫情報の受付手順を示すフローチャートである。
【図１８】第２判定処理のフローチャートである。
【図１９】第１判定処理のタイミング異なる第２実施形態のフローチャートである。
【図２０】第２実施形態の出庫情報の受付手順を示すフローチャートである。
【発明を実施するための形態】
【００２８】
[第１実施形態]
内視鏡１１のレンタルサービスの概要を示す図１において、レンタル業者１２は、病院や診療所などの医療施設１３からのオーダに基づいて、医療施設１３に対して内視鏡１１を貸し出すレンタルサービスを提供する。レンタル業者１２は、オーダ元の医療施設１３に内視鏡１１を配送し、医療施設１３において使用された使用済みの内視鏡１１を回収する。レンタル業者１２は、回収した使用済みの内視鏡１１に対して、洗浄、消毒、修理、機能チェックなどのリプロセスを施して、再使用可能な状態にするリプロセスセンタ１４を運営している。リプロセスセンタ１４は、回収された使用済みの内視鏡１１の入庫作業、リプロセス、リプロセスが施された処理済みの内視鏡１１の保管、及び出庫作業などの作業を行う。
【００２９】
医療施設１３は、プロセッサ装置や光源装置からなる周辺装置１５を保有しており、レンタルした内視鏡１１を周辺装置１５に接続して使用する。プロセッサ装置は、内視鏡１１で撮像した撮像信号をモニタへ表示するための画像処理を施す。光源装置は、キセノンランプやレーザ光源などの光源を有しており、内視鏡１１に照明光を供給する。
【００３０】
図２に示すように、内視鏡１１は、体腔内に挿入される挿入部１６と、挿入部１６の基端部分に連設された操作部１７と、プロセッサ装置や光源装置に接続するためのユニバーサルコード１８とを備えている。挿入部１６は、複雑に曲がりくねった消化管内に挿入されるために主要部分が可撓性に富む可撓管部１６ａで構成されている。可撓管部１６ａの先端にはアングル部１６ｂが設けられており、その先端には、被写体を撮像するＣＣＤやＣＭＯＳなどのイメージセンサ（図示せず）が内蔵された先端部１６ｃが設けられている。挿入部１６内には、光ファイバをバンドル化したライトガイド、イメージセンサに接続され駆動信号や撮像信号を送信するための信号ケーブル、送気・送水チャンネル、鉗子などの処置具を挿通するとともに、吸引チャンネルとしても機能する鉗子チャンネルなどが配設されている。
【００３１】
アングル部１６ｂは、湾曲することにより先端部１６ｃの向きを上下左右に変化させる。可撓管部１６ａ内には、アングルワイヤが挿通されており、アングルワイヤの基端側は、操作部１７に設けられたノブ１７ａに、先端側はアングル部１６ｂ内の節輪とそれぞれ係合される。ノブ１７ａが回転操作されると、アングルワイヤを通じて操作力がアングル部１６ｂに伝達されて、アングル部１６ｂが湾曲する。
【００３２】
可撓管部１６ａは、帯状の金属片を螺旋状に巻き付けた螺旋管を、金属細線により編組された網状管で覆い、網状管の外周面を樹脂製の外皮で被覆したものである。内視鏡１１は、可撓管部１６ａの硬度を調節する硬度調節機構を備えている。硬度調節機構は、特開平１０−１７９５０９号公報などに記載されているように、可撓管部１６ａ内に軸方向に沿って配設された、密着バネからなるコイルパイプ１９と、コイルパイプ１９に挿通されたワイヤ２０とからなり、ワイヤ２０の牽引操作によってコイルパイプ１９を軸方向に伸縮させることで、可撓管部１６ａの硬度を調節する機構である。
【００３３】
ワイヤ２０が牽引されると、コイルパイプ１９が圧縮されることにより曲げ方向に対する剛性が上がるので、可撓管部１６ａの硬度が上がる。操作部１７には、ワイヤ２０の牽引量を調節するための調節つまみ２１が設けられており、調節つまみ２１の操作によってユーザの好みに応じて硬度を変化させることができる。操作部１７には、調節つまみ２１の外周近傍に、目盛り２２が設けられており、目盛り２２は、調節つまみ２１の設定位置の目安として利用される。
【００３４】
操作部１７には、ノブ１７ａや調節つまみ２１の他、送気・送水を行うための送気・送水ボタン１７ｂ、鉗子チャンネルを通じて吸引を行うための吸引ボタン１７ｃ、及びシャッタボタンやズームボタンとして機能する機能ボタン１７ｄ、１７ｅなどの各種操作ボタンが設けられている。機能ボタン１７ｄ、１７ｅへの機能の割り当ては、例えば、機能ボタン１７ｄをシャッタボタンに、機能ボタン１７ｅをズームボタンに、あるいはその逆にというように、ユーザの好みに応じて変更できるようになっている。
【００３５】
機能ボタン１７ｄ、１７ｅへの機能の割り当ては、プロセッサ装置を通じて行われ、割り当て内容を表す設定情報は、操作部１７に内蔵されたＥＥＰＲＯＭやＩＣタグなどの内蔵メモリ２３に格納される。さらに、内視鏡１１は、イメージセンサから出力される撮像信号のゲインの設定値を変更することで、モニタに表示される観察画像の輝度やカラーバランスを調節することが可能である。ゲイン設定値も、プロセッサ装置を通じて設定され、内蔵メモリ２３に格納される。
【００３６】
このように、内視鏡１１は、調節つまみ２１による可撓管部１６ａの硬度調節、機能ボタン１７ｄ、１７ｅの機能割り当て、イメージセンサのゲイン設定について、ユーザ設定が可能なカスタマイズ機能を備えている。
【００３７】
図１において、レンタル支援システム１０は、レンタル業者１２が行う業務を、コンピュータを用いて支援するシステムである。レンタル支援システム１０は、オーダ受付端末２７と、情報管理端末２８と、ＤＢ（データベース）サーバ２９と、これら各端末２７、２８、ＤＢサーバ２９をＬＡＮ（ローカルエリアネットワーク）３０で通信可能に接続したネットワークシステムである。
【００３８】
オーダ受付端末２７は、病院やクリニックなどの医療施設からの内視鏡のレンタルのオーダをインターネットなどのネットワークを経由して受け付けて、受け付けたオーダを管理する。オーダには、レンタルを希望する内視鏡の種類や機種、貸出希望日、貸出期間、及び医療施設のＩＤといった情報が含まれる。
【００３９】
情報管理端末２８は、リプロセスセンタ１４に設置され、リプロセスセンタ１４で実施される作業記録の管理や、レンタルに供する内視鏡１１の在庫管理に用いられる。リプロセスセンタ１４における入庫から出庫までの間には、作業スタッフによって、図３に示す作業が実施される。こうした作業の履歴が情報管理端末２８を使用して管理される。まず、リプロセスセンタ１４に内視鏡１１が入庫すると情報管理端末２８に内視鏡１１が入庫したことを表す入庫情報が、内視鏡１１毎に入力される。情報管理端末２８は、この入力を受け付けてＤＢサーバ２９に入庫情報を格納する。
【００４０】
次に、入庫した内視鏡１１からユーザ設定情報の読み取りが行われる。ユーザ設定情報は、内視鏡１１のカスタマイズ機能によって設定されたユーザ設定情報（調節つまみ２１の設定位置、機能ボタン１７ｄ、１７ｅの割り当て内容、ゲイン設定値）であり、入庫直前に使用したユーザによって内視鏡１１に設定されたものである。入庫時に読み取られるユーザ設定情報は、ユーザが設定した最新の情報であるので、次回同じユーザに内視鏡１１を貸し出すときには、そのユーザ設定情報が再設定された状態で出庫することが望ましい。
【００４１】
ユーザ設定情報のうち、調節つまみ２１の設定位置は、作業スタッフの目視によって内視鏡１１から読み取られる。機能ボタン１７ｄ、１７ｅの割り当て内容、及びゲイン設定値については、リーダライタ４１（図５参照）を通じて内蔵メモリ２３から読み取られる。読み取られたユーザ設定情報は、情報管理端末２８に入力されて、情報管理端末２８は入力されたユーザ設定情報を受け付けてＤＢサーバ２９に格納する。
【００４２】
リプロセスは、洗浄消毒装置による洗浄・消毒の他に、修理や機能チェックが含まれる。レンタル用の内視鏡１１では、１つの内視鏡１１が不特定多数のユーザに使用されるため、リプロセスの過程において、内視鏡１１に設定されたユーザ設定情報のリセットが行われる。リプロセスを施したことを表すリプロセス情報は、リプロセスの作業内容を記録するリプロセス管理装置（図示せず）を経由して情報管理端末２８に入力される。情報管理端末２８は入力されたリプロセス情報を受け付けてＤＢサーバ２９に格納する。
【００４３】
リプロセスが完了した処理済みの内視鏡１１は次回の出庫までの間、保管庫で保管される。そして、医療施設１３からオーダが入ると、そのオーダに対して、出庫する内視鏡の選定と選定された内視鏡の割り当てが行われる。オーダ受付端末２７は、出庫先のユーザ名、ユーザＩＤ、出庫予定日、割り当てた内視鏡１１の機器ＩＤなどの情報を含む出庫指示を、情報管理端末２８に向けて発行する。情報管理端末２８が出庫指示の通知を取得すると、その通知がディスプレイに表示され、出庫指示の内容が作業スタッフによって確認される。作業スタッフは、出庫指示の内容に従って出庫準備を開始する。出庫準備においては、出庫指示で指定された機器ＩＤの内視鏡１１が保管庫から運び出される。
【００４４】
リプロセスが処理済みの内視鏡１１は、ユーザ設定情報がリセットされているので、出庫対象に割り当てられた内視鏡１１に対しては、出庫先のユーザのユーザ設定情報の再設定が行われる。作業スタッフは、情報管理端末２８を使用して、出庫先として指定されたユーザＩＤのユーザ設定情報をＤＢサーバ２９から読み出す。このユーザ設定情報が出庫対象の内視鏡１１に再設定される。再設定作業が実施されると、再設定作業を実施したことを表す再設定情報が情報管理端末２８に入力される。情報管理端末２８は、入力された再設定情報を受け付けて、ＤＢサーバ２９に格納する。再設定作業が終了すると、情報管理端末２８に出庫情報が入力される。情報管理端末２８は、入力された出庫情報を受け付けて、ＤＢサーバ２９に格納する。
【００４５】
ＤＢサーバ２９には、オーダ受付端末１７が受け付けたオーダや、情報管理端末２８が管理するリプロセスセンタ１４における作業記録や、内視鏡１１の在庫情報を格納するためのＤＢが構築されており、ＤＢサーバ２９は、オーダ受付端末２７及び情報管理端末２８からの要求に応じて、ＤＢ内の情報検索やＤＢの更新を行う。
【００４６】
図４に示すように、オーダ受付端末２７、情報管理端末２８、ＤＢサーバ２９を構成するコンピュータは、基本的な構成はほぼ同じであり、それぞれ、ＣＰＵ３１、メモリ３２、ストレージデバイス３３、ネットワークＩ／Ｆ３４、Ｉ／Ｏポート３５，及びコンソール３６を備えている。これらはデータバス３７を介して接続されている。コンソール３６は、ディスプレイ３８と、キーボードやマウスなどの操作デバイス３９とからなる。
【００４７】
ストレージデバイス３３は、例えば、ＨＤＤ（ハードディスクドライブ）であり、制御プログラムやアプリケーションプログラム（以下、ＡＰという）４０が格納される。また、ＤＢが構築されるサーバには、プログラムを格納するＨＤＤとは別に、ＤＢ用のストレージデバイス３３として、例えば、ＨＤＤを複数台連装したディスクアレイが設けられる。ディスクアレイは、サーバ本体に内蔵されるものでもよいし、サーバ本体とは別に設けられ、サーバ本体にケーブルやネットワークを通じて接続されるものでもよい。
【００４８】
メモリ３２は、ＣＰＵ３１が処理を実行するためのワークメモリである。ＣＰＵ３１は、ストレージデバイス３３に格納された制御プログラムをメモリ３２へロードして、プログラムに従った処理を実行することにより、コンピュータの各部を統括的に制御する。ネットワークＩ／Ｆ３４は、ＬＡＮ３０との間の伝送制御を行うインタフェースである。Ｉ／Ｏポート３５は、周辺機器を接続して、周辺機器との間でデータの入出力を行うためのポートであり、ＵＳＢ、ＩＥＥＥ１３９４、ＲＳ−２３２Ｃなどの規格に準拠したものである。
【００４９】
オーダ受付端末２７には、ＡＰ４０として、オーダの受付や管理を行うクライアントプログラムがインストールされている。クライアントプログラムが起動されると、オーダ受付端末２７のディスプレイには、ＧＵＩ（Graphical User Interface）による操作画面が表示される。操作画面には、オーダの入力、表示、出庫指示の発行を行うためのオーダ管理画面（図示せず）が含まれる。
【００５０】
ＤＢサーバ２９には、ＡＰ４０として、クライアントからの要求に応じて処理を実行し、処理結果を応答するサーバプログラムがインストールされている。ＤＢサーバ２９のＣＰＵは、サーバプログラムを実行することにより、データの格納処理部及び検索処理部として機能する。格納処理部は、オーダ受付端末２７や情報管理端末２８などのクライアントからのデータの格納要求に応じて、各ＤＢへの格納処理を実行する。また、検索処理部は、オーダ受付端末２７や情報管理端末２８からの配信要求に応答して、要求されたデータをＤＢから検索して、検索したデータを要求元へ配信する。
【００５１】
情報管理端末２８には、ＡＰ４０として、入庫、リプロセス、出庫という、リプロセスセンタ１４において実施される作業記録などを管理するための情報管理プログラムがインストールされている。情報管理端末２８のＣＰＵ３１は、情報管理プログラムが起動されると、図５に示すように、受付処理や判定処理を行う制御部２８ａとして機能する。制御部２８ａは、情報管理端末２８のディスプレイ３８に、ＧＵＩ（Graphical User Interface）による操作画面を表示する。これらの操作画面を通じて、入庫情報、出庫情報、及びユーザ設定情報の入力や、再設定情報の表示や出力が行われる。入力された情報は、ＤＢサーバ２９に格納される。
【００５２】
リーダライタ４１は、内視鏡１１の内蔵メモリ２３に格納されている設定情報の読み取りと、内蔵メモリ２３への書き込みとを行うためのものである。リーダライタ４１は、例えば、内蔵メモリ２３がＩＣタグであればタグリーダライタである。リーダライタ４１は、情報管理端末２８のＩ／Ｏポート３５に接続される。
【００５３】
ＤＢサーバ２９には、オーダ管理テーブル４６、ユーザ設定管理テーブル４７、在庫管理テーブル４８などのデータベースを構成するテーブルデータが格納されている。
【００５４】
図６に示すように、オーダ管理テーブル４６は、オーダの内容を表すオーダ情報を記録したレコードが格納されるテーブルであり、各レコードはオーダ単位で生成される。１件のレコードは、「オーダ番号」、「ステータス」、「出庫予定日（貸出予定日）」、「出庫日時（返却日時）」、「入庫予定日（返却予定日）」、「入庫日時（返却日時）」、内視鏡の「機器ＩＤ」、「ユーザ名」、「ユーザＩＤ」といったデータ項目が格納されるフィールドを有する。「ステータス」は、オーダのステータスを表すもので、具体的な内容としては、レンタルの場合には、例えば、「オーダ受付済み」、「貸出中」、「出庫待ち」、「返却済み」といった情報が書き込まれる。
【００５５】
ユーザ名は、出庫先（貸出先）の名称であり、ユーザＩＤは、ユーザ名毎に予め付与される。ユーザ名は、例えば、「Ｂ病院  山田医師」というように、内視鏡１１を使用する医師単位で付与されており、ユーザ設定情報は医師単位で管理される。ユーザＩＤは、ユーザ名に対応して、医療施設の施設コード（Ｂ病院の場合は「２３１４」）と医師コード（山田医師の場合は「０１６」）の組み合わせによって付与される。クリニック（診療所）など医師（ユーザ）が一人しかいない小規模な医療施設の場合は、ユーザ名やユーザＩＤから医師名や医師コードを省略してもよい。本例（「Ａクリニック」や「Ｇクリニック」）では、ユーザ名から医師名が省略されているが、ユーザＩＤについては医師コードが省略されずに、施設コードと医師コードが与えられている。
【００５６】
「入庫日時」と「出庫日時」は、本実施形態における入庫情報と出庫情報である。入庫日時と出庫日時は、情報管理端末２８を通じて入力されて、オーダ管理テーブル４６のレコードに書き込まれる。「オーダ番号」、「出庫予定日」、「入庫予定日」などの他の項目は、オーダ受付端末２７を通じて入力されて書き込まれる。
【００５７】
図６において、オーダ番号が「１０００１」のオーダは、ステータスが「返却済み」であり、機器ＩＤが「ＥＳ０１０」の内視鏡１１が「１０／０２／０７  ９：００」にリプロセスセンタ１４から出庫され、「Ａクリニック」で使用された後、１０／０２／１７に返却されて、「１０／０２／１７  １１：００」にリプロセスセンタ１４に入庫したことを表している。オーダ番号が「１００１５」のオーダは、ステータスが「貸出中」であり、リプロセスセンタ１４に返却（入庫）されていないので、入庫日時が空欄になっている。オーダ番号が「１００３１」の出庫先を「Ａクリニック」とするオーダは、ステータスが「出庫待ち」の状態であるため、出庫日時は空欄であるが、既に機器ＩＤが「ＥＳ０７０」の内視鏡１１の割り当てが終了していることを表している。
【００５８】
図７に示すように、ユーザ設定管理テーブル４７は、ユーザ設定情報を管理するための情報が記録されたレコードを格納するテーブルであり、各レコードはユーザＩＤ単位で生成される。１件のレコードは、「ユーザ名」、「ユーザＩＤ」、「ユーザ設定情報」、「受付日時」といったデータ項目を格納するフィールドを有する。各レコードには、「ユーザＩＤ」が含まれているため、オーダ管理テーブル４６内のユーザＩＤが共通するレコードとの相互参照が可能である。「ユーザ設定情報」のフィールドには、ユーザ設定情報の内容が記述された情報ファイルのファイル名とその格納先のアドレスが書き込まれる。ファイル名には、Ａクリニックならば（「１２３４−００１」）というようにユーザＩＤが付されている。なお、ユーザ設定管理テーブル４７とは別の情報ファイルに、ユーザ設定情報の内容を記述した例で説明しているが、別の情報ファイルを設けなくてもよく、ユーザ設定管理テーブル４７内のレコードにユーザ設定情報の内容を記述するフィールドを設けて、そのフィールドにユーザ設定情報の内容を格納してもよい。
【００５９】
「受付日時」は、内視鏡１１から読み取られたユーザ設定情報の入力が行われ、情報管理端末２８がその入力を受け付けた受付日時である。「受付日時」は、本実施形態における受付情報である。「Ａクリニック」のユーザ設定情報は、「１０／０２／１７  １１：１０」に受け付けられていることを表している。図６のオーダ管理テーブル４６において、オーダ番号が「１０００１」の「Ａクリニック」のオーダは、入庫日時が「１０／０２／１７  １１：００」となっているので、「Ａクリニック」のユーザ設定情報の受付日時は、入庫日時（１１：００）の１０分後にユーザ設定情報の入力が行われたことを表している。
【００６０】
ユーザ設定情報の入力には、新規入力、入庫時においてユーザ設定管理テーブル４７に既に記憶されているユーザ設定情報を更新する更新入力、及び入庫時においてユーザ設定管理テーブル４７に既に記憶されているユーザ設定情報と、入庫した内視鏡１１から読み取られるユーザ設定情報とを作業スタッフが目視で照合する照合作業が実施されたことを表す照合記録の入力の３つの入力のうち少なくとも１つの入力が含まれている。ユーザ設定管理テーブル４７のレコードは、情報管理端末２８を通じて新規入力が行われたときに生成される。
【００６１】
これら新規入力、更新入力、照合記録の入力のいずれかが行われたときにその受付日時が、該当するユーザＩＤのレコードに書き込まれる。「受付日時」は、新しい入力がある毎に随時更新され、最新の受付日時のみが保存される。もちろん、最新の受付日時だけでなく、過去の受付日時を保存して受付履歴を残しておいてもよい。
【００６２】
図８に示すように、在庫管理テーブル４８は、レンタル業者１２が在庫として保有する内視鏡１１が現在どのようなステータスにあるかを管理するためのものである。在庫管理テーブル４８には、内視鏡１１の機器ＩＤ単位でレコードが生成される。在庫管理テーブル４８のレコードは、レンタル業者１２が保有する内視鏡１１が追加される毎に新規に生成される。
【００６３】
１件のレコードは、「機器ＩＤ」、「ステータス」、「再設定情報」というデータ項目を格納するフィールドを有する。「機器ＩＤ」は、内視鏡１１の１本毎に付されたシリアルナンバーである。「ステータス」は、内視鏡１１がリプロセス中であれば「リプロセス中」、貸出中であれば「貸出中」、リプロセスが完了して貸出可能な状態であれば「待機中」といった情報が書き込まれる。各レコードには「機器ＩＤ」が含まれているため、オーダ管理テーブル４６内の共通する機器ＩＤを持つレコードとの相互参照が可能である。
【００６４】
「再設定情報」は、内視鏡１１を出庫する前に、内視鏡１１に対してユーザ設定情報の再設定作業が実施されたことを表す情報である。再設定作業が実施された場合には「再設定済み」、未実施の場合には「未実施」という情報が書き込まれる。再設定済みの場合には、再設定されたユーザ設定情報に対応するユーザＩＤも併せて書き込まれる。これにより、各内視鏡１１に現在設定されているユーザ設定情報がどのユーザのものかを確認することができる。
【００６５】
例えば、機器ＩＤが「ＥＳ０４０」のレコードは、その内視鏡１１が貸出中であり、その内視鏡１１に対して、出庫前に、ユーザＩＤが「５９７８−０２１（Ｅ病院  田中医師）」（図５及び図６参照）のユーザ設定情報の再設定作業が実施されたことを表している。また、機器ＩＤが「ＥＳ０７０」のレコードは、ステータスが「待機中」となっているが、既にユーザＩＤが「１２３４−００１（Ａクリニック）」（図５及び図６参照）のユーザ設定情報が再設定済みであることを表している。
【００６６】
図９〜図１１を用いて、情報管理端末２８で入庫情報及びユーザ設定情報の入力を行う場合の操作画面について説明する。図９及び１０に示す入庫画面５１は、入庫情報の入力を行うための操作画面である。入庫画面５１には、オーダ情報を表示するオーダ表示領域５１ａが設けられている。
【００６７】
オーダ表示領域５１ａには、オーダ番号を選択する選択ボックス５１ｂが設けられている。選択ボックス５１ｂは、例えば、右端の矢印がポインタ４９でポイントされると、オーダ管理テーブル４６に登録済みの複数のオーダ番号を表示する選択メニューをプルダウン形式で表示する。そして、その選択メニューから１つのオーダ番号を選択させてオーダ番号を入力させる。１つのオーダ番号（本例では「１０００１」）が選択されると、制御部２８ａが、ＤＢサーバ２９を介してオーダ管理テーブル４６から選択されたオーダ番号のレコードを読みして、オーダ表示領域５１ａに表示する。
【００６８】
オーダ表示領域５１ａには、レコードに含まれる項目のうち、ユーザ名、ユーザＩＤ、入庫予定日、入庫日時、機器ＩＤの項目を表示する表示欄が設けられている。入庫日時が入力される前においては、図９に示すように入庫日時の表示欄が空欄になっている。また、入庫画面５１には、オーダ表示領域５１ａの下方には、入力ボタン５１ｃ、呼び出しボタン５１ｄ、ＯＫボタン５１ｅ、キャンセルボタン５１ｆ、閉じるボタン５１ｇが設けられている。ＯＫボタン５１ｅは、入力内容を確定するためのボタンであり、キャンセルボタン５１ｆは、入力内容をキャンセルするボタンであり、閉じるボタン５１ｇは、入庫画面５１を閉じるボタンである。
【００６９】
入力ボタン５１ｃは、入庫日時の入力を行うための入力ボタン５１ｃである。入力ボタン５１ｃがポインタ４９で指定されてクリック操作が行われると、制御部２８ａは、情報管理端末２８に内蔵のシステムタイマから現在時刻を読み出して、図９に示すように表示欄に入庫日時を表示する。ＯＫボタン５１ｅがクリック操作されると、図６に示すように、入力した入庫日時（「１０／０２／１７  １１：００」）がオーダ管理テーブル４６内の選択されたオーダ番号（「１０００１」）のレコードに書き込まれる。
【００７０】
呼び出しボタン５１ｄは、図１１に示すユーザ設定情報入力画面５３を呼び出すための画面呼び出しボタンである。入庫画面５１には、後述する第１判定処理によって、ユーザ設定情報の入力が実施されていない場合に、警告メッセージ５２が表示される。警告メッセージ５２には、例えば、「ユーザ設定情報の入力作業が未実施です」という警告内容と、「入力作業を実施してください」という入力作業を促す内容が含まれる。警告メッセージ５２は、例えば、呼び出しボタン５１ｄを指し示してそこに誘導する矢印を持つ吹き出し形状で表示される。
【００７１】
呼び出しボタン５１ｄがクリック操作されると、操作画面が入庫画面５１からユーザ設定情報入力画面５３に移行する。図１１に示すように、ユーザ設定情報入力画面５３には、ユーザ名、ユーザＩＤを入力するための入力領域５３ａ、内蔵メモリ内の設定情報を入力するための入力領域５３ｂ、調節つまみの設定位置を入力する入力領域５３ｃ、入力内容を確定して受付処理の実行指示する入力ボタン５３ｄ、入力内容をキャンセルするキャンセルボタン５３ｅ、入庫画面５１に復帰させる戻るボタン５３ｆが設けられている。
【００７２】
入庫画面５１において、呼び出しボタン５１ｄがクリック操作されると、制御部２８ａは、入庫画面５１で選択されているオーダ番号（「１０００１」）のオーダにおいて指定されているユーザＩＤのユーザ設定情報のレコードを、ＤＢサーバ２９を介してユーザ設定管理テーブル４７から読み出す。ユーザ設定管理テーブル４７に既に対応するユーザＩＤのレコードが記憶されている場合（前回入力されたユーザ設定情報がある場合）には、そのレコードが読み出されて、ユーザ設定情報入力画面１１の各入力領域５３ａ〜５３ｃにそれぞれの項目の情報が表示される。ユーザ設定管理テーブル４７に対応するユーザＩＤのレコードが無い場合には、各入力領域５３ａ〜５３ｃは空欄で表示される。
【００７３】
各入力領域５３ａ〜５３ｃが空欄の場合には、ユーザ設定情報が新規入力される。入力領域５３ａには、キーボードによってユーザ名やユーザＩＤが入力される。入力領域５３ｂには、取り込みボタン５３ｈが設けられている。取り込みボタン５３ｈは、リーダライタ４１（図５参照）に対して、内視鏡１１の内蔵メモリ２３内の設定情報を情報管理端末２８へ取り込む指示をするためのボタンである。
【００７４】
取り込みに際しては、まず、作業スタッフによって、リーダライタ４１と内視鏡１１が通信可能な状態にセットされる。例えば、内蔵メモリ２３がＩＣタグの場合には、リーダライタ４１が内視鏡１１の内蔵メモリ２３の近傍へ翳される。この状態で、取り込みボタン５３ｈがクリック操作されると、リーダライタ４１によって内視鏡１１の内蔵メモリ２３内の設定情報が情報管理端末２８に取り込まれ、取り込まれた設定情報が入力領域５３ｂに表示される。入力領域５３ｃには、調節つまみ２１の設定位置が、目盛り２２（図２参照）で目視確認されて、目視で読み取られた目盛り２２の数字（「５」）がキーボードから入力される。
【００７５】
更新入力の場合には、前回入力したユーザ設定情報がユーザ設定管理テーブル４７にあるので、入力領域５３ｃには、前回入力した調節つまみ２１の設定位置が表示される。前回の設定位置と、内視鏡１１に現在設定されている調節つまみ２１の設定位置とが作業スタッフの目視によって照合される。変更がある場合には、キーボードによって変更された値が入力領域５３ｃに入力される。入力領域５３ｂにも、前回入力された設定情報が表示されるが、内蔵メモリ２３に現在設定されている設定情報は目視確認できないので、前回入力済みの設定情報との目視による照合はできない。そのため、内蔵メモリ２３の設定情報については、更新入力の場合でも、取り込みボタン５３ｈのクリック操作によってリーダライタ４１を通じて取り込みが行われる。入力領域５３ｂの表示は、取り込まれた設定情報の表示に更新される。
【００７６】
入力ボタン５３ｄがクリック操作されると、入力領域５３ｂ及び５３ｃに入力された内容が確定し、確定した内容のユーザ設定情報の受付処理が実行される。制御部２８ａは、新規入力の場合には、入力されたユーザ設定情報に対応するレコードをユーザ設定管理テーブル４７に新規に生成して書き込む。更新入力の場合には、既に記憶済みのレコードを新たに入力された内容で上書き更新する。変更がある項目だけ更新し、変更が無い項目については更新しなくてもよい。そして、新規入力又は更新入力のいずれの場合でも、受付処理が実行された受付日時が対応するレコードに書き込まれる。
【００７７】
なお、本例では、入力領域５３ｂや入力領域５３ｃの表示が、新たに入力された内容で更新表示される例で説明したが、入力領域５３ｂや入力領域５３ｃに変更前と変更後の２つの表示欄を設けて、前回入力済みの変更前の内容と今回入力する変更後の内容を対照できるようにしてもよい。
【００７８】
図１２及び１３に示すフローチャートを用いて、情報管理端末２８が実行する、入庫情報及びユーザ設定情報の受付処理の処理手順を説明する。図１２に示すフローチャートに示すように、入庫画面５１の起動指示があると、制御部２８ａは、入庫画面５１をディスプレイ３８に表示し（ステップ（Ｓ）１００）、オーダ番号の選択を待機する（Ｓ１１０）。オーダ番号が選択されると（Ｓ１１０でＹ）、選択されたオーダのレコードを、ＤＢサーバ２９を介してオーダ管理テーブル４６から読み出して、オーダ表示領域５１ａにオーダ情報を表示する（Ｓ１２０）。そして、入庫情報（入庫日時）の入力を待機する（Ｓ１３０）。
【００７９】
入力ボタン５１ｃがクリック操作されると（Ｓ１３０でＹ）、制御部２８ａは、システムタイマから現在日時を読み出して、入庫日時欄に表示する。ＯＫボタン５１ｅがクリック操作されると、制御部２８ａは、表示された入庫日時（１０／０２／１７  １１：００）を確定し、受付処理を実行する。受付処理の実行により、入力された入庫情報（入庫日時）は、ＤＢサーバ２９を介してオーダ管理テーブル４６の対応するレコードに書き込まれる。制御部２８ａは、入庫情報が入力されると、それに対応するオーダのユーザＩＤ、すなわち、入庫画面５１に表示中のユーザＩＤ（本例においては「１２３４−００１」）を読み出し（Ｓ１４０）、読み出したユーザＩＤに基づいて第１判定処理を実行する（Ｓ１５０）。
【００８０】
図１３に示すように、第１判定処理において、制御部２８ａは、同じユーザＩＤの最新の入庫日時と、最新の受付日時を読み出す（Ｓ１５１）。入庫日時は、入庫画面５１（図１０）において入力された入庫日時が当該ユーザＩＤの最新の入庫日時である。受付日時は、ＤＢサーバ２９を介してユーザ設定管理テーブル４７から読み出される。受付日時のフィールドは、最新の受付日時のみが記録されているので、レコードに記録されている受付日時が最新の受付日時である。
【００８１】
制御部２８ａは、最新の受付日時と最新の入庫日時とを比較して、最新の受付日時が最新の入庫日時以後か否かを判定する（Ｓ１５２）。制御部２８ａは、最新の受付日時が最新の入庫日時以後である場合（Ｓ１５２でＹ）に、ユーザ設定情報の入力作業が実施されたと判定する（Ｓ１５３）。入庫日時は、使用済みの内視鏡１１がリプロセスセンタ１４に入庫される毎に記録されるので、最新の入庫日時よりも最新の受付日時が後であれば、使用済みの内視鏡１１がリプロセスセンタ１４に入庫した後に、リプロセスセンタ１４において、ユーザ設定情報の入力作業が実施されていることを意味する。
【００８２】
一方、最新の受付日時が最新の入庫日時より前である場合（Ｓ１５２でＮ）は、制御部２８ａは、最新の入庫後にユーザ設定情報の入力作業が実施されていない（未実施）と判定する（Ｓ１５４）。最新の受付日時が最新の入庫日時より前である場合は、その受付日時は、入庫した内視鏡１１がユーザに貸し出される前に実施された前回の入力作業、つまり、前回出庫前に実施された入力作業の実施日付であるので、今回の入庫後にユーザ設定情報の入力作業が実施されていないと判定する。
【００８３】
図１２に戻って、制御部２８ａは、第１判定処理において、ユーザ設定情報の入力作業が実施されていると判定した場合（Ｓ１６０でＹ）には、別のオーダの入庫情報の入力を待機する（Ｓ１９０）。一方、未実施と判定された場合（Ｓ１６０でＮ）には、図１０に示すように、入庫画面５１に警告メッセージ５２を表示する警告処理を実行する（Ｓ１７０）。入庫情報を入力した時点（入力ボタン５１ｃがクリック操作された時点）では、ユーザ設定情報の入力作業は実施されていないので（図３参照）、入力ボタン５１ｃがクリック操作された直後に、警告メッセージ５２が表示されることになる。そのため、警告メッセージ５２によって、作業スタッフに対してユーザ設定情報の入力作業を促すことができる。
【００８４】
制御部２８ａは、警告処理を開始した後、予め決められた所定時間間隔で第１判定処理（Ｓ１５０）を繰り返す。この処理は、ユーザ設定情報の入力作業が実施されるまで継続されるので、入力作業が実施されるまでの間、入庫画面５１には、警告メッセージ５２が継続して表示される。これにより、ユーザ設定情報の入力作業の作業忘れが確実に防止される。
【００８５】
次に、図１４〜１６を用いて、情報管理端末２８で出庫情報及びユーザ設定情報の再設定を行う場合の操作画面について説明する。図１４及び１５に示す出庫画面５６は、入庫情報の入力を行うための操作画面である。出庫画面５６には、オーダ情報を表示するオーダ表示領域５６ａが設けられている。オーダ表示領域５６ａには、オーダ番号を選択する選択ボックス５６ｂが設けられている。選択ボックス５６ｂは、入庫画面５１の選択ボックス５１ｂと同様であり、プルダウン形式のメニューから１つのオーダ番号を選択させて入力させるものである。
【００８６】
１つのオーダ番号（「１００３１」）が選択されると、制御部２８ａが、ＤＢサーバ２９を介して、オーダ管理テーブル４６から選択されたオーダのレコードを読み出して、オーダ表示領域５６ａに表示する。オーダ表示領域５６ａには、レコードに含まれる項目のうち、ユーザ名、ユーザＩＤ、出庫予定日、出庫日時、機器ＩＤの項目を表示する表示欄が設けられている。出庫日時が入力される前においては、出庫日時の表示欄が空欄になっている。
【００８７】
本例において選択されているオーダ（「１００３１」）は、出庫先がＡクリニックであり、出庫対象には、機器ＩＤが「ＥＳ０７０」の内視鏡１１が割り当てられている。図６に示すように、同じＡクリニックを出庫先とする前回のオーダ（「１０００１」）では、機器ＩＤが「ＥＳ０１０」の内視鏡１１が割り当てられていたのに対して、今回のオーダ（「１００３１」）では、機器ＩＤが「ＥＳ０７０」の内視鏡１１が割り当てられている。レンタルサービスにおいては、このように同じユーザに対して異なる内視鏡１１が貸し出される場合があり得る。
【００８８】
また、出庫画面５６には、オーダ表示領域５６ａの下方に、入力ボタン５６ｃ、呼び出しボタン５６ｄ、ＯＫボタン５６ｅ、キャンセルボタン５６ｆ、閉じるボタン５６ｇが設けられている。ＯＫボタン５６ｅは、入力内容を確定するためのボタンであり、キャンセルボタン５６ｆは、入力内容をキャンセルするボタンであり、閉じるボタン５６ｇは、出庫画面５６を閉じるボタンである。
【００８９】
入力ボタン５６ｃは、出庫情報（出庫日時）の入力を行うための入力ボタン５６ｃであり、入力ボタン５６ｃがポインタ４９で指定されてマウスによるクリック操作が行われると、情報管理端末２８に内蔵のシステムタイマから現在時刻が読み出されて、図１５に示すように表示欄に出庫日時が表示される。ＯＫボタン５６ｅがクリック操作されると、入力した出庫日時がオーダ管理テーブル４６内の選択されたオーダ（「１００３１」）のレコードに書き込まれる。
【００９０】
呼び出しボタン５６ｄは、図１６に示すユーザ設定情報の再設定画面５７を呼び出すための画面呼び出しボタンである。出庫画面５６には、後述する第２判定処理によって、ユーザ設定情報の再設定が実施されていない場合に、警告メッセージ５８が表示される。警告メッセージ５８には、例えば、「ユーザ設定情報の再設定作業が未実施です」という警告内容と、「再設定作業を実施してください」という再設定作業を促す内容が含まれる。警告メッセージ５８は、例えば、入庫画面５１の警告メッセージ５２と同様に、呼び出しボタン５６ｄを指し示してそこに誘導する矢印を持つ吹き出し形状で表示される。
【００９１】
呼び出しボタン５６ｄがクリック操作されると、操作画面がユーザ設定情報再設定画面５７に移行する。図１６に示すように、ユーザ設定情報再設定画面５７には、ユーザ名、ユーザＩＤを表示するための表示領域５７ａ、内蔵メモリ内の設定情報を表示するための表示領域５７ｂ、調節つまみの設定位置を表示する表示領域５７ｃ、再設定ボタン５７ｄ、戻るボタン５７ｅが設けられている。
【００９２】
出庫画面５６において、呼び出しボタン５６ｄがクリック操作されると、制御部２８ａは、出庫画面５６において選択されているオーダ番号（「１００３１」）に対応するユーザＩＤをＤＢサーバ２９に対して送信して、ユーザ設定管理テーブル４７内のそのユーザＩＤのレコードの配信を要求する。ユーザ設定管理テーブル４７に既に対応するユーザＩＤのレコードが記憶されている場合には、そのレコードが読み出されて、各表示領域５７ａ〜５７ｃにそれぞれの項目の情報が表示される。
【００９３】
表示領域５７ｂには、内蔵メモリ２３に再設定すべき、ゲイン設定値及び機能ボタンの割り当て内容が表示される。表示領域５７ｂには、書き出しボタン５７ｈが設けられている。書き出しボタン５７ｈは、表示領域５７ｂに表示されている設定情報をリーダライタ４１に出力して、リーダライタ４１を通じて内視鏡１１の内蔵メモリ２３へ書き出すための操作ボタンである。
【００９４】
書き出しに当たっては、上述した取り込みの場合と同様に、まず、作業スタッフによって、リーダライタ４１と内視鏡１１が通信可能な状態にセットされる。この状態で、再設定ボタン５７ｄがクリック操作されると、制御部２８ａは、表示領域５７ｂに表示された設定情報を、リーダライタ４１に出力し、リーダライタ４１は、出力された設定情報を内蔵メモリ２３に書き出す。こうして内蔵メモリ２３に表示領域５７ｂに表示された設定情報が再設定される。
【００９５】
一方、表示領域５７ｃには、調節つまみ２１（図２参照）の設定位置が表示されている。作業スタッフは、内視鏡１１の目盛り２２を読みながら、調節つまみ２１を操作して、表示領域５７ｃに表示されている設定位置（「５」）に合わせる。これにより、調節つまみ２１の設定位置が再設定される。
【００９６】
再設定ボタン５７ｄは、再設定作業を実施したことを表す再設定情報を入力するための操作ボタンである。再設定作業が完了すると、作業スタッフによって再設定ボタン５７ｄがクリック操作される。再設定ボタン５７ｄがクリック操作されると、制御部２８ａは、出庫情報（出庫日時）を入力したオーダから出庫対象の内視鏡１１の機器ＩＤ（「ＥＳ０７０」）を読み出して、その機器ＩＤに対応する在庫管理テーブル４８のレコードに再設定情報を書き込む。この再設定情報には、出庫先のユーザＩＤ（「１２３４−００１」）も併せて書き込まれる。
【００９７】
図１７及び１８に示すフローチャートを用いて、情報管理端末２８が実行する、出庫情報の受付処理の処理手順を説明する。図１７のフローチャートに示すように、出庫画面５６の起動指示があると、制御部２８ａは、出庫画面５６をディスプレイ３８に表示し（ステップ（Ｓ）２００）、オーダ番号の入力を待機する（Ｓ２１０）。オーダ番号が入力されると（Ｓ２１０でＹ）、選択されたオーダのレコードを、ＤＢサーバ２９を介してオーダ管理テーブル４６から読み出して、オーダ表示領域５６ａに表示する（Ｓ２２０）。そして、出庫情報（出庫日時）の入力を待機する（Ｓ２３０）。
【００９８】
入力ボタン５６ｃがクリック操作されると（Ｓ２３０でＹ）、制御部２８ａは、システムタイマから現在日時を読み出して、出庫日時欄に表示する。ＯＫボタン５６ｅがクリック操作されると、制御部２８ａは、表示された出庫日時（１０／０２／２０  １１：００）の入力を確定し、受付処理を実行する。受付処理の実行により、入力された出庫日時は、ＤＢサーバ２９を介してオーダ管理テーブル４６のオーダ番号が「１００３１」のレコードに書き込まれる。制御部２８ａは、出庫情報が入力されると、そのオーダの機器ＩＤ、すなわち、出庫画面５６に表示中の機器ＩＤ（「ＥＳ０７０」）を読み出し（Ｓ２４０）、読み出したユーザＩＤに基づいて第２判定処理を実行する。
【００９９】
図１８に示すように、第２判定処理において、制御部２８ａは、読み出した機器ＩＤに対応する再設定情報の有無を調べる（Ｓ２５１）。制御部２８ａは、ＤＢサーバ２９を介して、在庫管理テーブル４８内の該当する機器ＩＤのレコードから再設定情報を読み出す。再設定情報が無い場合（Ｓ２５１でＮ）には、再設定作業が未実施であると判定する（Ｓ２５４）。一方、再設定情報が有る場合（Ｓ２５１でＹ）には、再設定情報に含まれるユーザＩＤとオーダで指定された出庫先のユーザＩＤが一致しているか否かを判定する（Ｓ２５２）。一致していない場合（Ｓ２５２でＮ）には、出庫先のユーザＩＤに対応する適正なユーザ設定情報が再設定されていないことを意味するので、ユーザ設定情報の再設定作業が未実施であると判定する（Ｓ２５４）。一方、一致している場合（Ｓ２５２でＹ）には、ユーザ設定情報の再設定作業が実施されたと判定する（Ｓ２５３）。
【０１００】
図１７に戻って、制御部２８ａは、第２判定処理において、ユーザ設定情報の再設定作業が実施されていると判定した場合（Ｓ２６０でＹ）には、別のオーダの出庫情報の入力を待機する（Ｓ２８０）。一方、再設定作業が実施されていないと判定された場合（Ｓ２６０でＮ）には、図１５に示すように、出庫画面５６に警告メッセージ５８を表示する警告処理を実行する（Ｓ２７０）。出庫情報を入力した時点（入力ボタン５６ｃがクリック操作された時点）では、ユーザ設定情報の再設定作業は実施されていないので（図３参照）、入力ボタン５６ｃがクリック操作された直後に、警告メッセージ５８が表示されることになる。そのため、警告メッセージ５８によって、作業スタッフに対してユーザ設定情報の再設定作業を促すことができる。これにより、再設定作業の作業忘れが防止され、ユーザ設定情報が再設定されていない状態で内視鏡１１が出庫されることが防止される。
【０１０１】
以上で説明したように、第１実施形態の情報管理端末２８では、まず、使用済みの内視鏡１１がリプロセスセンタ１４へ入庫する入庫時に行われる入庫作業において、内視鏡１１が入庫する毎に記録される最新の入庫日時と、そのオーダのユーザＩＤと同じユーザ設定情報の最新の受付日時とに基づいて第１判定処理を行っている。そして、第１判定処理によって、入庫時において行われるべきユーザ設定情報の入力作業が実施されたか否かを調べて、未実施の場合には警告を行うようにしたから、入力作業の作業忘れを防止することができる。また、第１判定処理は、入庫する毎に記録される入庫情報に基づいて行われるので、ユーザ設定管理テーブル４７内のユーザ設定情報を常に最新の状態に保つことが可能である。
【０１０２】
また、入庫情報が入力された後、ユーザ設定情報の入力作業が行われるまでの間、所定時間間隔で繰り返し第１判定処理が行われるから、作業忘れをより確実に防止することができる。また、警告メッセージ５２は、入庫情報の入力が行われる入庫画面５１に表示されるので、作業忘れの防止効果が高い。
【０１０３】
次に、リプロセスが完了後の出庫作業において、在庫管理テーブル４８に再設定情報を記憶させ、出庫先の内視鏡に対して、再設定作業がなされたかを判定する第２判定処理を実行し、再設定情報が無い場合に警告するようにしたから、再設定作業の作業忘れを防止することができる。また、再設定情報にはユーザＩＤも記録されており、第２判定処理においてユーザＩＤの照合も行っているから、出庫先のユーザに応じた適正なユーザ設定情報が再設定されているかについても判定することができる。
【０１０４】
「第２実施形態」
第１実施形態の第１判定処理は、入庫画面５１において入庫情報が入力されることを契機として実行される例で示したが、図１９に示すように、入庫情報の入力の有無とは無関係にユーザ設定情報が検索されたときに第１判定処理を行うようにしてもよい。情報管理端末２８は、起動中、検索指示の入力を待機する（Ｓ３００）。指定されたユーザＩＤの検索指示が入力されると（Ｓ３００でＹ）、制御部２８ａは、第１判定処理を実行する（Ｓ３１０）。第１判定処理の内容は、第１実施形態と同様である。そして、第１判定処理の判定結果に基づいて、ユーザ設定情報の入力作業が実施されている場合（Ｓ３２０でＹ）には、ユーザ設定情報の内容を画面に表示する（Ｓ３４０）。一方、ユーザ設定情報の入力作業が実施されていない場合（Ｓ３２０でＮ）に警告処理をする（Ｓ３３０）。警告処理では、第１実施形態と同様の警告メッセージ５２が画面に表示される。
【０１０５】
ユーザ設定情報の検索は、ユーザ設定情報の内容の確認や、ユーザ設定情報の再設定作業を準備する段階で行われる場合が多いと考えられるので、検索時に第１判定処理を実行することは実行タイミングとして好適である。もちろん、第２実施形態と第１実施形態を組み合わせても可である。そうすれば、ユーザ設定情報の入力作業の作業忘れをより確実に防止できる。また、リプロセスが開始されるときに、洗浄消毒装置などからリプロセスの開始の通知を情報管理端末２８に送信するようにして、情報管理端末２８がその通知を受けたときに、第１判定処理を実行するようにしてもよい。このように、第１判定処理のタイミングは、種々変形が可能である。
【０１０６】
「第３実施形態」
第３実施形態は、オーダ受付端末２７が発行した出庫指示の通知を情報管理端末２８が受けたことを契機として、第１判定処理と第２判定処理を実行する例である。情報管理端末２８は、オーダ受付端末２７からの出庫指示の通知を待機する（Ｓ４００）。
【０１０７】
出庫指示の通知を受信した場合（Ｓ４００でＹ）、出庫指示の通知からユーザＩＤを読み出し（Ｓ４１０）、図１３に示す第１判定処理を実行する（Ｓ４２０）。第１判定処理の判定結果に従って、ユーザ設定情報の入力作業が実施されていない場合（Ｓ４３０でＮ）には、警告メッセージ５２（図１０参照）を画面に表示する（Ｓ４４０）。入力作業が実施されている場合（Ｓ４３０でＹ）は、出庫指示の通知から機器ＩＤを読み出して（Ｓ４５０）、図１８に示す第２判定処理を実行する（Ｓ４６０）。第２判定処理の判定結果に従って、ユーザ設定情報の再設定作業が実施されていない場合（Ｓ４７０でＮ）は、警告メッセージ５８（図１５参照）を画面に表示する（Ｓ４８０）。この後、再設定作業が実施されるまで、警告処理を予め決められた所定時間間隔で繰り返す（Ｓ４９０）。再設定作業実施されるまでの間、警告メッセージ５８の表示が継続される。
【０１０８】
出庫先を指定する出庫指示の通知が未受信の段階では、再設定作業は実施されていないので（図３参照）、１回目の第２判定処理の判定結果は未実施となり、警告メッセージ５８が表示されることになる。出庫準備作業は、出庫指示によって開始される（図３参照）。そして、出庫先は出庫指示によって明らかになるので、出庫指示の通知を受けたタイミングは、第２判定処理の実行可能な最も早いタイミングとなる。したがって、第２判定処理のタイミングとしては第３実施形態のタイミングが最も好ましい。また、第３実施形態では、第１判定処理も行われるので、再設定すべきユーザ設定情報が最新の状態にあるかを確認することもできる。なお、上記第１〜第３の各実施形態の組み合わせももちろん可である。
【０１０９】
また、上記実施形態では、第１判定処理の判定の基礎とする受付情報と入庫情報として、それぞれ最新の受付日時及び最新の入庫日時を例に説明したが、第１判定処理は、日時以外の情報でも可能である。
【０１１０】
例えば、内視鏡１１の入庫情報を「入庫済み」又は「未入庫」の二値で記録し、ユーザ設定情報の受付情報を「実施済み」又は「未実施」の二値のいずれかで記録する。この場合、ユーザ設定情報の入力作業を実施した場合には、ユーザ設定管理テーブル４７の受付情報に「実施済み」が記録される。そして、内視鏡１１が出庫され、再び入庫する前までに出庫先のユーザＩＤに対応するユーザ設定管理テーブル４７の受付情報を「実施済み」から「未実施」に戻す。次回入庫した時点では、受付情報は「未実施」となっているので、入庫後にユーザ設定情報の入力作業が実施されるまでの間、第１判定処理の判定結果は、未実施と判定されるので、警告が行われる。
【０１１１】
また、上記実施形態では、第２判定処理について、再設定情報を「実施済み」と「未実施」の二値で判定を行うようにしたが、再設定情報として、再設定日時を記録し、第２判定処理を、再設定日時と入庫日時に基づいて行ってもよい。この場合、同じ機器ＩＤの最新の再設定日時と最新の入庫日時とを比較して、最新の再設定日時が最新の入庫日時以後であるか否かを調べて、再設定日時が入庫日時以後である場合に、「実施済み」と判定され、再設定日時が最新の入庫日時よりも前である場合に、「未実施」と判定される。
【０１１２】
上記実施形態では、本発明のユーザ設定情報管理装置を、レンタルサービスに適用する例で説明したが、レンタルサービス以外でも、例えば、医療施設が保有する内視鏡の洗浄消毒を含むリプロセスについて、医療施設からの委託を受けて代行するリプロセス代行サービスに適用してもよい。リプロセス代行サービスの場合は、リプロセスセンタへの内視鏡の入庫は医療施設からの預かり、リプロセスセンタからの出庫は医療施設への返却、となる。
【０１１３】
リプロセスにおいては、分解や部品交換を伴う修理が行われる場合があるので、その過程において内視鏡に設定されているユーザ設定情報がリセットされてしまう場合がある。リプロセス代行サービスにおいても、内視鏡を医療施設に返却する場合には、ユーザ設定情報を入庫時の状態に戻して返却するのが望ましい。そのため、リプロセス代行サービスの場合も、ユーザ設定情報を管理する必要がある。
【０１１４】
ただし、リプロセス代行サービスの場合は、内視鏡の保有者が医療施設（ユーザ）であり、レンタル業者が内視鏡を保有し、１つの内視鏡が不特定多数のユーザに貸し出されるレンタルサービスと異なる。こうした違いから、レンタルサービスの方が、ユーザ設定情報の管理方法が複雑化するため、本発明はレンタルサービスの場合に特に有効である。理由は以下の通りである。
【０１１５】
リプロセス代行サービスでは、入庫した内視鏡に設定されているユーザ設定情報を、そのまま、出庫時に同じ内視鏡に再設定してユーザに返却すればよい。つまり、リプロセス代行サービスの場合は、内視鏡の機器ＩＤとそれを使用するユーザＩＤが１対１で対応するため、機器ＩＤとユーザＩＤを区別する必要はない。
【０１１６】
これに対して、レンタルサービスの場合は、１つの内視鏡が不特定多数のユーザに使用されることを予定しているので、上記実施形態で説明した通り、１つの内視鏡に対して出庫毎に異なるユーザ設定情報を再設定する必要がある。つまり、レンタルサービスの場合は、機器ＩＤとユーザＩＤは１対１で対応しないため、機器ＩＤとユーザＩＤを区別して取り扱う必要が生じる。そのため、リプロセス代行サービスの場合と比べて、ユーザ設定情報を管理するしくみが複雑化する。
【０１１７】
例えば、リプロセス代行サービスの場合は、機器ＩＤとユーザＩＤが１対１で対応しているため、機器ＩＤ単位でレコードが生成されるテーブル（例えば在庫管理テーブル）にユーザ設定情報を登録しておけば、そのテーブルとは別にユーザＩＤ単位でレコードが生成されるテーブル（例えばユーザ設定管理テーブル）を持たなくて済むが、レンタルサービスの場合は、機器ＩＤとユーザＩＤが１対１で対応しないため、ユーザＩＤ単位でレコードが生成されるテーブルが必ず必要になる。このように、情報管理のしくみが複雑化するほどコンピュータシステムを利用する必要性は高い。したがって、本発明は、リプロセス代行サービスと比較して、レンタルサービスの場合に特に有効である。
【０１１８】
また、リプロセス代行サービスとレンタルサービスの両方を提供する事業者がユーザ設定情報を管理する場合に本発明を適用してもよい。本発明によれば、レンタルサービスとリプロセスサービスが混在する場合でも、両者を区別することなく、同じ処理フロー、同じプログラムで統一的にユーザ設定情報を管理することができるので、コンピュータシステムを構築するコスト負担を軽減できる。
【０１１９】
また、上記実施形態では、医療施設とは別のレンタル業者のリプロセスセンタでユーザ設定情報を管理する例で説明したが、もちろん、医療施設内の内視鏡洗浄室などのリプロセスを行う処理場においてユーザ設定情報を管理する場合に使用してもよい。もちろん、レンタルサービスの場合は、取り扱う内視鏡の本数が１つの医療施設と比較して多いので、本発明はレンタルサービスの場合に特に有効である。
【０１２０】
また、上記実施形態では、内視鏡のユーザ設定情報として、内視鏡の内蔵メモリに格納される設定情報のようにリーダライタによって読み取りが可能なユーザ設定情報と、調節つまみの設定位置などのように作業スタッフの目視によって読み取られるユーザ設定情報の２種類の情報を読み取る例で説明している。このうち、リーダライタによって読み取り可能なユーザ設定情報については、例えば、入庫情報の入力が行われたときに、内蔵メモリからの読み取りが自動的に行われ、出庫情報の入力が行われたときに、内蔵メモリへの書き出しが自動的に行われるというように、入庫情報や出庫情報が情報管理端末へ入力されたことを契機として、情報管理端末の制御部がリーダライタを介して内蔵メモリからのユーザ設定情報の読み取りと内蔵メモリへのユーザ設定情報の書き出しを自動的に実行するようにしてもよい。
【０１２１】
上記実施形態では、内視鏡のユーザ設定情報として、イメージセンサのゲイン設置値、機能ボタンの割り当て内容、硬度調節の設定位置を例に説明したが、これらに代えて、あるいは、これらに加えて、他のユーザ設定情報を使用してもよい。
【０１２２】
また、例えば、内視鏡の内蔵メモリに記憶されるユーザ設定情報は、内視鏡のユーザ設定情報に限らず、プロセッサ装置や光源装置など内視鏡と接続される周辺装置のカスタマイズ機能によって設定されるユーザ設定情報でもよい。
【０１２３】
例えば、プロセッサ装置のカスタマイズ機能としては、モニタに表示する観察画面の色合いや輝度をユーザの好みに応じて設定できる機能がある。こうしたプロセッサ装置で設定したユーザ設定情報が内視鏡の内蔵メモリに格納される。内視鏡がプロセッサ装置と接続されると内視鏡の内蔵メモリからプロセッサ装置がユーザ設定情報を読み込んで、読み込んだユーザ設定情報に従ってモニタの色合いや輝度を自動設定する。プロセッサ装置は、複数のユーザに共用されることが多いので、プロセッサ装置のユーザ設定情報を内視鏡の内蔵メモリに格納し、これを自動的にプロセッサ装置が読み込む機能は、ユーザにとってメリットが大きい。
【０１２４】
また、処理場においてリプロセスされる医療機器として内視鏡を例に説明したが、プロセッサ装置や光源装置などの内視鏡の周辺装置でもよい。もちろん、内視鏡や周辺装置などの内視鏡検査機器に限らず、例えば、携帯用のデジタルＸ線検査機器である電子カセッテでもよい。
【０１２５】
上記実施形態では、本発明のユーザ設定情報管理装置を、受付手段、判定手段、警告手段を構成する情報管理端末２８と、記憶手段を構成するＤＢサーバ２９からなるコンピュータシステムで構成した例で説明したが、情報管理端末２８は１台に限らず、複数台あってもよい。また、ＤＢが構築される記憶手段としては、ＤＢサーバ２９以外でもよく、例えば、ＮＡＳ（Network Attached Storage）、ＳＡＮ（Storage Area Network）といったネットワークを介して接続するストレージデバイスを使用してもよい。また、情報管理端末２８に内蔵のハードディスクドライブからなるストレージデバイスにＤＢを構築して、これを記憶手段としてもよい。このように、ユーザ設定情報管理装置を実現するコンピュータシステムの物理構成は適宜変更が可能である。
【０１２６】
また、上記実施形態で示したとおり、本発明は、プログラムの形態、さらにはプログラムを記憶する記憶媒体にも及ぶことはもちろんである。
【０１２７】
本発明は、上記実施形態に限定されるものではなく、発明の主旨を逸脱しない範囲で種々変形して実施することが可能である。
【符号の説明】
【０１２８】
１０  レンタル支援システム
２７  オーダ受付端末
２８  情報管理端末
２８ａ  制御部（判定手段、警告手段、表示制御手段）
２９  ＤＢサーバ
３１  ＣＰＵ
３６  コンソール
３８  ディスプレイ
３９  操作デバイス
４６  オーダ管理テーブル（第１記憶手段）
４７  ユーザ設定管理テーブル（第２記憶手段）
４８  在庫管理テーブル（第３記憶手段）
【図１】
0005409446.tif 000002
【図２】
0005409446.tif 000003
【図３】
0005409446.tif 000004
【図４】
0005409446.tif 000005
【図５】
0005409446.tif 000006
【図６】
0005409446.tif 000007
【図７】
0005409446.tif 000008
【図８】
0005409446.tif 000009
【図９】
0005409446.tif 000010
【図１０】
0005409446.tif 000011
【図１１】
0005409446.tif 000012
【図１２】
0005409446.tif 000013
【図１３】
0005409446.tif 000014
【図１４】
0005409446.tif 000015
【図１５】
0005409446.tif 000016
【図１６】
0005409446.tif 000017
【図１７】
0005409446.tif 000018
【図１８】
0005409446.tif 000019
【図１９】
0005409446.tif 000020
【図２０】
0005409446.tif 000021